(57)【要約】【課題】不具合の解析に有用な情報を十分に取得することによって、従来よりも不具合の解析の効率を向上させることが出来る電子機器を提供することを目的とする。【解決手段】電子機器が、準備画面記憶部から表示画面記憶部へ画面データが転送され、表示画面記憶部が当該画面データを記憶すると、表示部が当該画面データに基づいて画面を切り替える電子機器であって、エラー情報記憶部と、エラーが発生すると、エラー発生時に表示画面記憶部が記憶する画面データと、準備画面記憶部が記憶する画面データとをエラー情報としてエラー情報記憶部に記憶させる記憶制御手段と、エラー情報出力指示を受け付けると前記エラー情報を出力する出力制御手段と、を具備する。【選択図】図１
2010092226.tif 000002
【特許請求の範囲】
【請求項１】
表示画面記憶部が記憶する画面データに基づいて画面を表示する表示部と、バックグランドにおいて動作する機能の画面及びこれから表示する画面の画面データを記憶する準備画面記憶部とを有し、前記準備画面記憶部から前記表示画面記憶部へ画面データが転送され、前記表示画面記憶部が当該画面データを記憶すると、前記表示部が当該画面データに基づいて画面を切り替える電子機器であって、
エラー情報記憶部と、
エラーが発生すると、エラー発生時に表示画面記憶部が記憶する画面データと、準備画面記憶部が記憶する画面データとをエラー情報として前記エラー情報記憶部に記憶させる記憶制御手段と、
エラー情報出力指示を受け付けると前記エラー情報を出力する出力制御手段と、を具備する電子機器。
【請求項２】
前記記憶制御手段は、エラー情報をエラー情報記憶部に記憶させた後に、前記準備画面記憶部において生成されたエラー通知画面の画面データをエラー情報として前記エラー情報記憶部に記憶させることを特徴とする請求項１に記載の電子機器。
【請求項３】
前記記憶制御手段は、定型画面の画面データをエラー情報記憶部に記憶させる場合には、当該定型画面の識別子をエラー情報としてエラー情報記憶部に記憶させることを特徴とする請求項１または２に記載の電子機器。
【請求項４】
前記記憶制御手段は、前記表示画面記憶部と、前記準備画面記憶部とに記憶された画面データを区別してエラー情報記憶部に記憶させ、
前記出力制御手段は、前記エラー情報記憶部が記憶する前記エラー情報に基づいて、記表示画面記憶部と、前記準備画面記憶部とに記憶されていた画面データを区別して、前記表示部に表示させることを特徴とする請求項１〜３のいずれかに記載の電子機器。
【発明の詳細な説明】
【技術分野】
【０００１】
本発明は、画面表示機能を有する電子機器に関する。
【背景技術】
【０００２】
パーソナルコンピュータ、携帯電話機、プリンタ、複合機及び家電機器等の各種電子機器は、ＣＰＵ（Central Processing Unit）及びメモリ等のハードウェアと、ＣＰＵが実行するソフトウェアから構成されている。そして、この電子機器におけるハードウェア及びソフトウェアには、操作処理、通信処理及び待ち受け処理等の各種処理中に生じる各種要因によって、様々な不具合が引き起こされる。例えば、ソフトウェアの設計上の問題が電子機器に存在している場合には、開発担当者の意図しない動作を実行する、また、起動が不可能になってしまう等の致命的な不具合が電子機器に生じてしまう。そして、これらの致命的な不具合が電子機器に発生すると、開発工程であれば開発担当者、製造工程であれば製造担当者または市場に出回っている場合であればメンテナンス担当者が、その不具合を解析して、その原因の特定を行う。その際、不具合の解析を行う担当者は、各種情報を基に不具合の原因の特定を行う。
【０００３】
そして、このような不具合の解析を行う担当者に、不具合の原因を特定する為に必要な情報を提供する発明として、下記特許文献１には、エラー発生時の画面情報を保存しておくことにより、エラー対処を確実に行うことができるデータ処理装置が開示されている。このデータ処理装置では、アプリケーション実行中にエラーが発生すると、ＬＣＤがアプリケーション画面の上にエラーメッセージ画面を表示し、エラーメッセージ画面に表示されている「閉じる」ボタンが押下されると、ＬＣＤに表示されているエラーメッセージ画面及びを当該エラーメッセージ画面の下のアプリケーション画面から成る画像データをエラー情報としてメモリが記憶し、エラー情報の出力指示に基づいて表示制御手段がこのメモリに記憶されているエラー情報をＬＣＤに表示させる。
【特許文献１】特開２００３−４４３２６号公報
【発明の開示】
【発明が解決しようとする課題】
【０００４】
ところで、上記従来技術では、エラーが発生すると、実行中のアプリケーション画面の上にエラーメッセージ画面を表示して、エラーメッセージ画面に表示されている「閉じる」ボタンが押下されると、エラーメッセージ画面及び当該エラーメッセージ画面の下のアプリケーション画面から成る画像データをエラー情報としてメモリが記憶し、エラー情報の出力指示に基づいてＬＣＤがこのエラー情報を表示することによって、不具合の解析に必要な情報を不具合の解析の担当者へ提供している。
【０００５】
しかしながら、画面表示機能を有する電子機器では、現在表示している画面を記憶する表示画面記憶領域とは別に、これから表示する画面の生成に使用する記憶領域（準備画面記憶領域）が設けられており、この準備画面記憶領域に記憶される生成された画面が表示画面記憶領域へ転送され、表示画面記憶領域が当該画面を記憶するとディスプレイに表示されている画面が切り替わる。また、コピー、プリント、スキャン及びファクシミリ等の複数の機能を有する複合機では、各機能に応じた画面を準備画面記憶領域に記憶させ、操作指示に応じて準備画面記憶領域から表示画面記憶領域へ画面を転送することによって各機能に応じた画面へ切り替えている。そして、このような電子機器では、バックグランドにおいて機能が動作している場合に、その動作に応じて準備画面記憶領域が記憶する画面が更新されており、現在表示している画面だけでなく、準備画面記憶領域が記憶している画面にも不具合の原因を特定する為の手がかりが残っている可能性がある。その為、上記従来技術のように現在表示している画面をエラー情報として保存するだけでは、不具合の解析に有用な情報を十分に取得しているとは言い難かった。このようなことから、上記従来技術には、不具合の解析の効率を向上させる為に、改善すべき余地が十分に残されている。
【０００６】
本発明は、上述した事情に鑑みてなされたものであり、不具合の解析に有用な情報を十分に取得することによって、従来よりも不具合の解析の効率を向上させることが出来る電子機器を提供することを目的とする。
【課題を解決するための手段】
【０００７】
上記目的を達成するために、本発明では、電子機器に係る第１の解決手段として、表示画面記憶部が記憶する画面データに基づいて画面を表示する表示部と、バックグランドにおいて動作する機能の画面及びこれから表示する画面の画面データを記憶する準備画面記憶部とを有し、前記準備画面記憶部から前記表示画面記憶部へ画面データが転送され、前記表示画面記憶部が当該画面データを記憶すると、前記表示部が当該画面データに基づいて画面を切り替える電子機器であって、エラー情報記憶部と、エラーが発生すると、エラー発生時に表示画面記憶部が記憶する画面データと、準備画面記憶部が記憶する画面データとをエラー情報として前記エラー情報記憶部に記憶させる記憶制御手段と、エラー情報出力指示を受け付けると前記エラー情報を出力する出力制御手段と、を具備するという手段を採用する。
【０００８】
本発明では、電子機器に係る第２の解決手段として、上記第１の解決手段において、前記記憶制御手段は、エラー情報をエラー情報記憶部に記憶させた後に、前記準備画面記憶部において生成されたエラー通知画面の画面データをエラー情報として前記エラー情報記憶部に記憶させるという手段を採用する。
【０００９】
本発明では、電子機器に係る第３の解決手段として、上記第１または第２の解決手段において、前記記憶制御手段は、定型画面の画面データをエラー情報記憶部に記憶させる場合には、当該定型画面の識別子をエラー情報としてエラー情報記憶部に記憶させるという手段を採用する。
【００１０】
本発明では、電子機器に係る第４の解決手段として、上記第１〜第３いずれかの解決手段において、前記記憶制御手段は、前記表示画面記憶部と、前記準備画面記憶部とに記憶された画面データを区別してエラー情報記憶部に記憶させ、前記出力制御手段は、前記エラー情報記憶部が記憶する前記エラー情報に基づいて、記表示画面記憶部と、前記準備画面記憶部とに記憶されていた画面データを区別して、前記表示部に表示させるという手段を採用する。
【発明の効果】
【００１１】
本発明によれば、電子機器が、表示画面記憶部が記憶する画面データに基づいて画面を表示する表示部と、バックグランドにおいて動作する機能の画面及びこれから表示する画面の画面データを記憶する準備画面記憶部とを有し、準備画面記憶部から表示画面記憶部へ画面データが転送され、表示画面記憶部が当該画面データを記憶すると、表示部が当該画面データに基づいて画面を切り替える電子機器であって、エラー情報記憶部と、エラーが発生すると、エラー発生時に表示画面記憶部が記憶する画面データと、準備画面記憶部が記憶する画面データとをエラー情報としてエラー情報記憶部に記憶させる記憶制御手段と、エラー情報出力指示を受け付けるとエラー情報を出力する出力制御手段と、を具備する。
【００１２】
このように、本発明では、エラー発生時に、表示画面記憶部画面と、準備画面記憶部とに記憶された画面データをエラー情報として保存し、エラー情報出力指示を受け付けると保存されたエラー情報を出力することによって、バックグランドにおいて動作する機能がエラーの原因であったとしても、不具合の解析の担当者は、エラー情報に基づいてエラー解析を実施することによって、速やかにエラーの原因を特定することが出来る。
【発明を実施するための最良の形態】
【００１３】
以下、図面を参照して、本発明の一実施形態について説明する。本実施形態は、本発明の電子機器に含まれる画像形成装置の一つであるコピー機能、プリント機能、スキャン機能及びファクシミリ送信／受信機能を併せ持つ複合機に関する。
まず、複合機Ａの機能構成について、図１を参照して、説明する。図１は本実施形態に係る複合機Ａの機能ブロック図である。
複合機Ａは、ＣＰＵ(Central Processing Unit)１、ＲＯＭ(Read Only Memory)２、ＲＡＭ(Random Access Memory)３、各種センサ群４、用紙搬送部５、画像読取部６、画像データ記憶部７、画像形成部８、通信Ｉ／Ｆ部９、操作表示部１０、エラー情報記憶部１１及び準備画面記憶部１２を備えている。
【００１４】
ＣＰＵ１は、ＲＯＭ２に記憶されている制御プログラム、各種センサ群４から受信する各種検出信号、画像データ記憶部７に記憶されている原稿画像データ、プリント画像データまたはファクシミリ画像データ、通信Ｉ／Ｆ部９を介してクライアントコンピュータ（図示略）または公衆網（図示略）から入力される各種指示及び操作表示部１０から入力される操作指示に基づいて複合機Ａの全体動作を制御する。なお、このＣＰＵ１の制御処理の詳細については、以下に複合機Ａの動作として説明する。
ＲＯＭ２は、ＣＰＵ１で実行される制御プログラム及びその他のデータを記憶する不揮発性メモリである。
【００１５】
ＲＡＭ３は、ＣＰＵ１が制御プログラムを実行して各種動作を行う際に、データの一時保存先となるワーキングエリアとして用いられる揮発性メモリである。
各種センサ群４は、例えば用紙切れ検出センサや、用紙詰まり検出センサ、用紙位置検出センサ、温度センサ等の画像形成動作に必要な各種センサであり、それぞれのセンサで検出した各種の情報を検出信号としてＣＰＵ１へ出力する。
【００１６】
用紙搬送部５は、用紙トレイに収納されている印刷用紙を画像形成部８に搬送するための搬送ローラ及び搬送ローラ駆動用のモータや、画像形成処理後の印刷用紙を図示しない排紙トレイに搬送するための搬送ローラ及び搬送ローラ駆動用のモータなどから構成されている。
【００１７】
画像読取部６は、ＡＤＦ（自動原稿送り装置）とＣＣＤ(Charge Coupled Device)センサ等を備え、ＡＤＦによって順次給紙される原稿の画像をＣＣＤセンサに読み取らせ、原稿画像に基づく原稿画像データを出力する。なお、画像読取部６は、原稿画像データをＣＰＵ１に出力し、一方、ＣＰＵ１は、原稿画像データを画像データ記憶部７に記憶させる。
画像データ記憶部７は、例えばフラッシュメモリまたはハードディスクであり、ＣＰＵ１の指示の下、原稿画像データ、通信Ｉ／Ｆ部９がクライアントコンピュータ（図示略）から受信するプリント画像データ及び通信Ｉ／Ｆ部９が公衆網（図示略）から受信するファクシミリ画像データを記憶する。
【００１８】
画像形成部８は、ＣＰＵ１の制御の下、画像データ記憶部７に記憶されている原稿画像データ、プリント画像データまたはファクシミリ画像データに基づいて、用紙搬送部５から搬送される印刷用紙にトナーによって形成される画像形成画像を転写し、定着ローラによって当該画像形成画像の定着処理を行う。
通信Ｉ／Ｆ部９は、外部のクライアントコンピュータ及び公衆網に接続し、このクライアントコンピュータ及び公衆網との間で各種信号の送受信を行う。
【００１９】
操作表示部１０は、コピー画面表示キー、プリント画面表示キー、スキャン画面表示キー、ファクシミリ画面表示キー、スタートキー、ストップ／クリアキー、電源キー、テンキー（数値入力キー）、タッチパネル１０ａ及びその他の各種操作キーを備えており、それぞれのキーの操作指示をＣＰＵ１に出力すると共に、ＣＰＵ１の制御の下、タッチパネル１０ａへ種々の画面を表示する。そして、タッチパネル１０ａは、表示画面記憶部１０ａ‐１を備えており、表示画面記憶部１０ａ‐１がＣＰＵ１の指示に基づいて所定の画面の画面データを記憶すると、表示画面記憶部１０ａ‐１が記憶する画面データに基づく画面へ切り替える。なお、操作表示部１０におけるコピー画面表示キー、プリント画面表示キー、スキャン画面表示キー、ファクシミリ画面表示キーは、各機能の画面へ切り替える為のキーである。
【００２０】
エラー情報記憶部１１は、例えばフラッシュメモリまたはハードディスクであり、ＣＰＵ１の制御の下、複合機Ａにおいて各種エラーが発生すると、不具合の解析の担当者がエラーを解析する為に使用する各種エラー情報を記憶する。
準備画面記憶部１２は、例えばＳＤＲＡＭ（Synchronous Dynamic Random Access Memory）であり、ＣＰＵの制御の下、タッチパネル１０ａへ次に表示させる画面及びタッチパネル１０ａが表示している画面以外の機能の画面の画面データを記憶する。
【００２１】
例えば、タッチパネル１０ａがコピーに関する画面を表示している場合に、準備画面記憶部１２は、コピー以外のプリント、スキャン及びファクシミリに関する画面を記憶している。そして、ＣＰＵ１は、操作表示部１０が受け付ける画面切替指示に応じて、この準備画面記憶部１２が記憶する各機能の画面データをタッチパネル１０ａが有する表示画面記憶部１０ａ‐１へ記憶させ、画面をタッチパネル１０ａに切り替えさせる。
【００２２】
次に、上記構成の本実施形態に係る複合機Ａの動作について図２を参照して詳しく説明する。図２は、本実施形態に係る複合機Ａの動作を示すフローチャートである。
ＣＰＵ１は、コピー画面表示キーの押下によって操作表示部１０がコピー画面表示指示を受け付けたか否か判定し（ステップＳ１）、ステップＳ１において『ＮＯ』と判定した場合には、すなわち操作表示部１０がコピー画面表示指示を受け付けていないと判定した場合には、操作表示部１０がコピー画面表示指示を受け付けるまで待機し、ステップＳ１において『ＹＥＳ』と判定した場合には、すなわち操作表示部１０がコピー画面表示指示を受け付けた場合には、表示画面記憶部１０ａ‐１にコピー基本画面の画面データを記憶させ、当該画面データに基づいてコピー基本画面をタッチパネル１０ａに表示させる（ステップＳ２）。
【００２３】
図３は、本実施形態に係る複合機Ａのコピー基本画面を示す図である。上記コピー基本画面は、複合機Ａのコピー機能におけるトップ画面であり、図３に示すように、その左側に現在のコピー条件を表示すると供にコピーにおける各条件の条件選択画面を表示させる為の条件選択画面表示ボタンを表示する。
【００２４】
ＣＰＵ１は、ステップＳ２の後に、ファクシミリ送信予約時間になったまたは通信Ｉ／Ｆ部９が受信した信号に基づいてファクシミリ受信があったか否か判定し（ステップＳ３）、ステップＳ３において『ＮＯ』と判定した場合には、すなわちファクシミリ送信予約時間になっていないかつファクシミリ受信がない場合には、ファクシミリ送信予約時間になるまたはファクシミリ受信があるまで待機し、ステップＳ３において『ＹＥＳ』と判定した場合には、すなわちファクシミリ送信予約時間になったまたはファクシミリ受信があった場合には、バックグラウンドにおいてファクシミリ送受信処理を通信Ｉ／Ｆ部９に開始させ、ファクシミリ送受信処理に応じて準備画面記憶部１２が記憶するファクシミリ送受信状態確認画面の画面データを更新する（ステップＳ４）。
【００２５】
図４は、本実施形態に係る複合機Ａのファクシミリ送受信状態確認画面を示す図である。上記ファクシミリ送受信状態確認画面は、ファクシミリジョブ毎の現在のファクシミリ送受信状態を示す一覧を表示する画面である。図４に示すファクシミリ送受信状態確認画面では、ジョブ名「２００８０７１６‐００１」のファクシミリジョブのファクシミリ受信中であることを示している。
【００２６】
ＣＰＵ１は、ステップＳ４の後に、コピー基本画面における「用紙」ボタンの押下によって用紙選択画面表示指示をタッチパネル１０ａが受け付けると、準備画面記憶部１２において用紙選択画面の画面データを生成する（ステップＳ５）。図５は、本実施形態に係る複合機Ａの用紙選択画面を示す図である。上記用紙選択画面は、コピーにおける印刷用紙条件として印刷用紙のサイズ及び印刷用紙に対する印刷向きをユーザに選択させる為の画面である。図５に示す用紙選択画面は、印刷用紙サイズがＡ４かつ印刷向きがヨコであることを示す「Ａ４ヨコ」ボタンの反転表示が行われている。これは、 デフォルトの条件として印刷用紙条件「Ａ４ヨコ」が選択されていることを示している。
【００２７】
ＣＰＵ１は、ステップＳ５において準備画面記憶部１２における用紙選択画面の画面データの生成が完了し、準備画面記憶部１２から表示画面記憶部１０ａ‐１へ用紙選択画面の画面データを転送する直前のタイミングで、ファクシミリダイヤルトーン未検出等のファクシミリ送受信におけるエラーが発生したと判定すると、表示画面記憶領域１０ａ‐１が記憶するコピー基本画面の画面データと、準備画面記憶部１２が記憶するファクシミリ送受信状態確認画面及び用紙選択画面の画面データとをＪＰＥＧまたはＧＩＦ等の画像ファイルに変換し、コピー基本画面、ファクシミリ送受信状態確認画面及び用紙選択画面の画像ファイルをエラー情報としてエラー情報記憶部１１に記憶させる（ステップＳ６）。なお、ＣＰＵ１は、エラーが発生したと判定したタイミングで、ファクシミリ送受信状態確認画面の画面データを更新している場合、画面データの更新を中断し、更新直前の画面データを画像ファイルに変換し、当該画像ファイルをエラー情報記憶部１１に記憶させる。
【００２８】
ＣＰＵ１は、ステップＳ６の後に、エラー通知画面の画面データ準備画面記憶部１２において生成し、エラー通知画面の画面データの生成が完了すると、準備画面記憶部１２が記憶するエラー通知画面の画面データを画像ファイルに変換し、当該画像ファイルをエラー情報としてエラー情報記憶部１１に記憶させ（ステップＳ７）、エラー通知画面の画面データを準備画面記憶部１２から表示画面記憶部１０ａ‐１へ転送し、表示画面記憶部１０ａ‐１が記憶する画面データに基づいてエラー通知画面をタッチパネル１０ａに表示させる（ステップＳ８）。図６は、本実施形態に係る複合機Ａのエラー通知画面を示す図である。上記エラー通知画面は、ファクシミリ送受信におけるエラーの発生を通知する画面であり、エラー種別を示すエラーナンバーを表示している。
【００２９】
なお、ＣＰＵ１は、タッチパネル１０ａが現在表示している画面の画面データ、すなわち表示画面記憶部１０a‐１が記憶している画面データと、準備画面記憶部が記憶している画面データとを、区別してエラー情報記憶部１１に記憶させる。例えば、表示画面記憶部１０a‐１が記憶しているコピー基本画面の画面データと、準備画面記憶部が記憶しているファクシミリ送受信状態確認画面、用紙選択画面及びエラー通知画面とを区別する為に、ＣＰＵ１は、識別子を付加してエラー情報記憶部１１に記憶させる。
【００３０】
そして、ＣＰＵ１は、ステップＳ８の後に、キー操作によってエラー情報出力指示を操作表示部１０が受け付けると、タッチパネル１０ａに表示されていた画面と、準備画面記憶部１２に記憶されていた画面とを区別できるタイトル名を付加してエラー情報記憶部１１が記憶するコピー基本画面、ファクシミリ送受信状態確認画面、用紙選択画面及びエラー通知画面の画像ファイルをタッチパネル１０ａに表示させる（ステップＳ９）。
【００３１】
以上のように、本実施形態に係る複合機Ａにおいて、ＣＰＵ１は、エラーが発生したと判定すると、タッチパネル１０ａに表示しているコピー基本画面の画面データだけではなく、準備画面記憶部１２が記憶するファクシミリ送受信状態確認画面及び用紙選択画面の画面データを画像ファイルに変換し、当該画像ファイルをエラー情報としてエラー情報記憶部１１に記憶させている。さらに、ＣＰＵ１は、コピー基本画面、ファクシミリ送受信状態確認画面、用紙選択画面の画像ファイルをエラー情報記憶部１１に記憶さえた後に、準備画面記憶部１２において生成するエラー通知画面の画面データも、画像ファイルに変換し、エラー情報としてエラー情報記憶部１１に記憶させている。
【００３２】
このように、タッチパネル１０ａが表示している画面だけでなく、準備画面記憶部１２が記憶する画面もエラー情報として保存することによって、タッチパネル１０ａに現在表示している機能と共にバックグランドにおいて動作している機能の動作／状態を不具合の解析の担当者が把握することが出来る為に、複合的な要因によって発生しているエラーであっても、当該エラーの原因を効率良く特定することが出来る。
【００３３】
以上、本発明の一実施形態について説明したが、本発明は上記実施形態に限定されることなく、例えば以下のような変形が考えられる。
（１）上記実施形態は、本発明を画像形成装置の一つである複合機に適用したものであるが、本発明は、現在表示している画面を記憶する表示画面記憶部とは別に、これから表示する画面の生成に使用する準備画面記憶部が設けられているものであれば、パーソナルコンピュータ及び携帯端末等のあらゆる電子機器に適用することが出来る。
【００３４】
（２）上記実施形態では、ＣＰＵ１は、エラーが発生したと判定すると、タッチパネル１０ａに表示しているコピー基本画面と、準備画面記憶部１２が記憶するファクシミリ送受信状態確認画面及び用紙選択画面の画面データを画像ファイルに変換し、当該画像ファイルをエラー情報としてエラー情報記憶部１１に記憶させ、その後に、準備画面記憶部１２において生成するエラー通知画面の画面データも、画像ファイルに変換し、エラー情報としてエラー情報記憶部１１に記憶させたが、本発明はこれに限定されない。
【００３５】
コピー基本画面、ファクシミリ送受信状態確認画面及び用紙選択画面は、ユーザによる操作または各機能の動作／状態に応じて表示内容が変化する画面である為、表示画面記憶部１０ａ‐１または準備画面記憶部１２が記憶している画面データに基づく画像ファイルをエラー情報記憶部１１へ記憶させる必要があるが、エラー通知画面のように表示内容が常に定型である画面であれば、画像ファイルではなく、当該画面の画面ＩＤ等の識別子をエラー情報としてエラー情報記憶部１１に記憶させるようにしてもよい。画面の識別子をエラー情報記憶部１１に保存させることによって、画面データの画像ファイルを保存する場合と比較して、エラー情報記憶部１１の容量の圧迫を抑えることが出来る。
【図面の簡単な説明】
【００３６】
【図１】本発明の一実施形態に係る複合機Ａの機能ブロック図である。
【図２】本発明の一実施形態に係る複合機Ａの動作を示すフローチャートである。
【図３】本発明の一実施形態に係る複合機Ａのコピー基本画面を示す図である。
【図４】本発明の一実施形態に係る複合機Ａのファクシミリ送受信状態確認画面を示す図である。
【図５】本発明の一実施形態に係る複合機Ａの用紙選択画面を示す図である。
【図６】本発明の一実施形態に係る複合機Ａのエラー通知画面を示す図である。
【符号の説明】
【００３７】
Ａ…複合機、１…ＣＰＵ、２…ＲＯＭ、３…ＲＡＭ、４…各種センサ群、５…用紙搬送部、６…画像読取部、７…画像データ記憶部、８…画像形成部、９…通信Ｉ／Ｆ部、１０…操作表示部、１０ａ…タッチパネル、１０ａ‐１…表示画面記憶部、１１…エラー情報記憶部、１２…準備画面記憶部
【図１】
2010092226.tif 000003
【図２】
2010092226.tif 000004
【図３】
2010092226.tif 000005
【図４】
2010092226.tif 000006
【図５】
2010092226.tif 000007
【図６】
2010092226.tif 000008